(57)【特許請求の範囲】
【請求項１】
支柱及びパネルの横桟部材を連結するためのブラケットであって、
少なくとも２つの側板及び前記２つの側板の下端から内側に折り曲げられる受け部を有し、当該２つの側板間に前記横桟部材が挿入可能な横桟連結部と、
前記横桟連結部における２つの側板から連続して前記支柱を挟持可能な一対の面板で構成され、前記横桟部材の挿入方向に対して直交する方向に向けて延長された開口スリットを有する支柱取付部とを備えること
を特徴とするブラケット。
【請求項２】
前記受け部は、前記挿入方向に向けて延長されたスリットを有すること
を特徴とする請求項１記載のブラケット。
【請求項３】
前記横桟連結部は、前記２つの側板の上端にそれぞれ連続して設けられる上面部を有し、
前記受け部は、上下方向から見た場合、支柱取付部に最も近接する側の端部の形状が湾曲形状で形成され、
前記上面部は、上下方向から見た場合、支柱取付部に最も近接する側の端部の形状が湾曲形状で形成されること
を特徴とする請求項１又は２記載のブラケット。
【請求項４】
支柱とパネルを備えた防護柵であって、
請求項１〜３のうち何れか１項記載のブラケットを介して前記支柱及び前記パネルの横桟部材に連結され、
前記支柱に前記ブラケットの前記支柱取付部を挟持させ、当該支柱に設けられたボルトに前記開口スリットが嵌め入れられ、
当該ブラケットの上記横桟連結部には、前記パネルの前記横桟部材が挿入されて固定されていること
を特徴とする防護柵。
【請求項５】
前記パネルの上段並びに下段の各横桟部材に前記ブラケットが前記横桟連結部を介して取り付けられ、
上端の横桟部材に取り付けられたブラケットの前記開口スリットと、下端の横桟部材に取り付けられたブラケットの前記開口スリットとが互いに上下に対向するように取り付けられていること
を特徴とする請求項４記載の防護柵。
【請求項６】
支柱と、パネルの上段及び下段における横桟部材とをブラケットを介して互いに連結する防護柵の組立方法であって、
少なくとも２つの側板及び前記２つの側板の下端から内側に折り曲げられる受け部を有する横桟連結部と、前記横桟連結部における２つの側板から連続する一対の面板で構成され、開口スリットを有する支柱取付部とを備えるブラケットを、前記横桟連結部を介して前記上段及び下段における横桟部材に挿入する挿入工程と、
前記挿入工程において上段の横桟部材に挿入した前記ブラケットを当該横桟部材に連結する上段連結工程と、
前記上段連結工程において連結した上段の前記ブラケットの前記開口スリットを前記支柱に設けられるボルトに向けて嵌め入れる上段支柱取付工程と、
前記挿入工程において下段の横桟部材に挿入した前記ブラケットを当該横桟部材及び前記支柱にそれぞれ連結する下段連結工程とを有すること
を特徴とする防護柵の組立方法。
【発明の詳細な説明】
【技術分野】
【０００１】
本発明は、支柱とパネルの横桟部材とを連結するブラケット、これが取り付けられる防護柵及びその防護柵の組立方法に関する。
【背景技術】
【０００２】
従来、歩道と道路の境界や、歩道と崖との境界等に設けられる防護柵を構築することを目的として、例えば、特許文献１〜３の開示技術が提案されている。
【０００３】
特許文献１に開示された防護柵のビーム取付構造は、継手（ブラケット）を介して支柱の側面に端面を向けてビームの端部が接続される。継手は、上下に貫通する長孔が設けられる支持部に支柱が挿通されている。継手は、支持部の支持軸によって支柱に取り付けられて、支持部から左右のビームへの接続方向に接続部が一体的に形成され、接続部に形成された筒部にビームの端部が挿入されるように構成される。
【０００４】
しかし、特許文献１に開示された防護柵のビーム取付構造は、あらかじめ支柱に取り付けられた継手の筒部に、ビームを挿入して施工しなければならないため、仮置き施工がしにくいという問題点があった。
【０００５】
特許文献２に開示された防護柵の柵体取付け用金具は、支柱への取付け部が円弧上に形成され、その円弧上の支柱取付け部の両端対向面部に柵体取付け部を備える略Ｕ字状に形成された第１取付け金具と第２取付け金具からなる。第１取付け金具は、その両端部に長方形のボルト孔及び中央部に上下にバンド部を形成するように長孔状の開口部を形成される。第２取付け金具は、その両端部に長方形のボルト孔を形成し、中央部のバンド部の幅を第１取付け金具の長孔状の開口部の幅よりわずかに小さい幅で形成される。また、第１取付け金具及び第２取付け金具は、ボルト孔を形成した両端部が、その間にブラケットを収納し得る幅で対向し得る形状に形成される。このような構成からなる第１取付け金具の開口部に第２取付け金具のバンド部を装入し、第１取付け金具のバンド部と第２取付け金具のバンド部とで円形上の中空部を形成する。そして、立設されている円形支柱の上方より中空部を円形支柱に通し、所定の位置まで下ろす。その位置で第２取付け金具のバンド部のボルト孔と円形支柱に形成されたボルト孔とに取付けボルトを挿通し、第２取付け金具を円形支柱に固定する。この後、あらかじめブラケットを横ビーム（横桟）となる管の管端に取付けておき、そのブラケットのボルト孔と第１取付け金具の両端部のボルト孔又は第２取付け金具の両端部のボルト孔とに取付ボルトを挿通し、ブラケットを固定する。このとき、ブラケットは、この取付ボルトを中心として上下方向に回動自在であるため、傾斜が設けられた道路等に防護柵を設置することができる。
【０００６】
しかし、特許文献２に開示された防護柵の柵体取付け用金具は、横桟をブラケットに取り付けるとき、横桟を仮置きするための受け部の構成が省略されているため、仮置き施工ができないという問題点があった。
【０００７】
特許文献３に開示されたブラケットは、支柱の外周部を囲むように支柱に取り付けられ、一部に欠落部を有する平面視略円環状の支柱取付部と、支柱取付部の欠落部の両端から外側に延び、横桟を連結する一対の横桟連結部とを有する。特許文献３に開示されたブラケットは、両横桟連結部の間隔が拡大するように開いている、すなわち、平面視略ハ字形状に開いているものとなる。そして、各横桟連結部の上下両端部には、内側にＬ字形（直角）に屈曲した部分からなる受板部が形成されている。受板部は、ブラケットと横桟が上下方向に逸脱しないようなストッパとして形成される。
【０００８】
しかし、特許文献３に開示されたブラケットは、ハ字形状に開いたブラケットの両横桟連結部を両側から圧縮し、平行にした状態を保つことにより、ブラケットの支柱取付部と支柱とを密着させて固定させている。すなわち、特許文献３に開示されたブラケットは、支柱と支柱取付部との固定に際してボルト等を介在させず、両者の摩擦力によって固定される。そして、特許文献３に開示されたブラケットは、容易に弾性変形されるものとなる。従って、特許文献３に開示されたブラケットは、その受板部が、横桟を上下方向に逸脱させないようなストッパとして形成されるものの、積雪荷重等の上方からの作用を受けて支柱に当接したとき、容易に弾性変形されるものとなる。このため、特許文献３に開示されたブラケットは、十分にその荷重の作用に耐えうる性能を有していないという問題点があった。
【先行技術文献】
【特許文献】
【０００９】
【特許文献１】特開２０００−２７１３５号公報
【特許文献２】特開２００５−１８８０３２号公報
【特許文献３】特開２０１５−１１０８８９号公報
【発明の概要】
【発明が解決しようとする課題】
【００１０】
そこで、本発明は、上述した問題点に鑑みて案出されたものであり、その目的とするところは、水平方向に対して上方又は下方に向けて自在に傾斜させることが可能であり、支柱に仮置きすることが可能であり、更に上方からの荷重の作用に耐えうる性能を有したブラケット、これが取り付けられる防護柵及びこの防護柵の組立方法を提供することにある。
【課題を解決するための手段】
【００１１】
第１発明に係るブラケットは、支柱及びパネルの横桟部材を連結するためのブラケットであって、少なくとも２つの側板及び前記両側板の下端から内側に折り曲げられる受け部を有し、当該２つの側板間に前記横桟部材が挿入可能な横桟連結部と、前記横桟連結部における２つの側板から連続して前記支柱を挟持可能な一対の面板で構成され、前記横桟部材の挿入方向に対して直交する方向に向けて延長された開口スリットを有する支柱取付部とを備えることを特徴とする。
【００１２】
第２発明に係るブラケットは、第１発明において、前記受け部は、前記挿入方向に向けて延長されたスリットを有することを特徴とする。
【００１３】
第３発明に係るブラケットは、第１発明〜第２発明において、前記横桟連結部は、前記２つの側板の上端にそれぞれ連続して設けられる上面部を有し、前記受け部は、上下方向から見た場合、支柱取付部に最も近接する側の端部の形状が湾曲形状で形成され、前記上面部は、上下方向から見た場合、支柱取付部に最も近接する側の端部の形状が湾曲形状で形成されることを特徴とする。
【００１４】
第４発明に係る防護柵は、支柱とパネルを備えた防護柵であって、請求項１〜３のうち何れか１項記載のブラケットを介して前記支柱及び前記パネルの横桟部材に連結され、前記支柱に前記ブラケットの前記支柱取付部を挟持させ、当該支柱に設けられたボルトに前記開口スリットが嵌め入れられ、当該ブラケットの上記横桟連結部には、前記パネルの前記横桟部材が挿入されて固定されていることを特徴とする。
【００１５】
第５発明に係る防護柵は、第４発明において、前記パネルの上段並びに下段の各横桟部材に前記ブラケットが前記横桟連結部を介して取り付けられ、上端の横桟部材に取り付けられたブラケットの前記開口スリットと、下端の横桟部材に取り付けられたブラケットの前記開口スリットとが互いに上下に対向するように取り付けられていることを特徴とする。
【００１６】
第６発明に係る防護柵の組立方法は、支柱と、パネルの上段及び下段における横桟部材とをブラケットを介して互いに連結する防護柵の組立方法であって、少なくとも２つの側板及び前記２つの側板の下端から内側に折り曲げられる受け部を有する横桟連結部と、前記横桟連結部における２つの側板から連続する一対の面板で構成され、開口スリットを有する支柱取付部とを備えるブラケットを、前記横桟連結部を介して前記上段及び下段における横桟部材に挿入する挿入工程と、前記挿入工程において上段の横桟部材に挿入した前記ブラケットを当該横桟部材に連結する上段連結工程と、前記上段連結工程において連結した上段の前記ブラケットの前記開口スリットを前記支柱に設けられるボルトに向けて嵌め入れる上段支柱取付工程と、前記挿入工程において下段の横桟部材に挿入した前記ブラケットを当該横桟部材及び前記支柱にそれぞれ連結する下段連結工程とを有することを特徴とする。
【発明の効果】
【００１７】
第１発明〜第３発明によれば、支柱の外周、支柱取付部の内周、端部により囲まれる広範な空間が形成されることにより、ボルトを中心として水平方向に対して上方又は下方に向けて自在に傾斜させることが可能となる。
【００１８】
第１発明〜第３発明によれば、支柱のボルトを中心としてわずかに回転した場合、受け部が支柱に当接されるため、ブラケットの受け部が支柱から反力を得ることができ、回転に対する作用に耐えることが可能となる。
【００１９】
第１発明〜第３発明によれば、支柱の上方から、横桟部材を取り付けたブラケットの開口スリットをボルトに向けて嵌め入れることで、支柱に挿入させたボルトに仮置きすることが可能となる。
【００２０】
第２発明によれば、特に、上段及び下段のブラケットを横桟部材に挿通させた状態を維持でき、それらを横桟部材に仮置きした状態でパネルの運搬作業を行うことが可能となる。
【００２１】
第３発明によれば、特に、受け部の端部及び上面部の端部の湾曲部分の中に支柱を深くもぐり込ませて嵌め込むことができ、水平方向に対する傾斜角度をより大きくすることが可能となる。
【００２２】
第４発明、第５発明によれば、ブラケットが水平方向に対して傾斜して設けられることによって、パネルの横桟部材もその傾斜方向と同一の方向に向けて延長された形態とすることとなるため、傾斜した場所に設けることが可能となる。
【００２３】
第５発明によれば、特に、上段及び下段のブラケットの開口スリットが互いに対向するようにして、支柱の上段及び下段のそれぞれのボルトを挟み込むように固定されるものとなるため、ブラケットが支柱及びパネルとより強固に固定されるものことが可能となる。
【００２４】
第６発明によれば、特に、一方の支柱の上段のボルトに一方の上段のブラケットを仮置きした後に、他方の支柱の上段のボルトに他方の上段のブラケットを設置することができ、施工性を向上させることが可能となる。
【図面の簡単な説明】
【００２５】
【図１】本発明を適用した防護柵を示す斜視図である。
【図２】本発明を適用した防護柵のうち、支柱のみを示す斜視図である。
【図３】本発明を適用した防護柵のうち、支柱の他の形態例を示す斜視図である。
【図４】本発明を適用した防護柵のうち、パネルのみを示す正面図である。
【図５】本発明を適用した防護柵のうち、パネルのみを示す斜視図である。
【図６】本発明を適用した防護柵のうち、パネルのみを示し、その一部を分解した斜視図である。
【図７】本発明を適用した防護柵において、支柱近傍を示す拡大斜視図である。
【図８】本発明を適用したブラケットを示す斜視図である。
【図９】本発明を適用したブラケットを示す斜視図である。
【図１０】図９のＡ−Ａ断面図である。
【図１１】図９のＢ−Ｂ断面図である。
【図１２】本発明を適用した防護柵を上方から見た状態を示す断面図である。
【図１３】本発明を適用した防護柵を示す正面図である。
【図１４】本発明を適用した防護柵が上方から荷重の作用を受けた時の状態を示す正面図である。
【図１５】本発明を適用した防護柵の組立方法の挿入工程及び上段連結工程を示す斜視図である。
【図１６】本発明を適用した防護柵の組立方法の上段支柱取付工程を示す正面図であり、（ａ）は、支柱への仮置き前の状態を示した図であり、（ｂ）は、その仮置き後の状態を示した図である。
【図１７】本発明を適用した防護柵の組立方法の下段連結工程を示す斜視図である。
【図１８】本発明を適用した防護柵の組立方法の下段連結工程を示す斜視図である。
【発明を実施するための形態】
【００２６】
以下、本発明を適用した防護柵を実施するための形態について、図面を参照しながら詳細に説明する。
【００２７】
図１は、本発明を適用した防護柵１を示す斜視図である。本発明を適用した防護柵１は、主として、歩行者用の防護柵として歩道等に設置され、歩行者が道路を横断するのを防止する横断防止柵や、崖等からの転落を防止するための転落防止柵等として用いられる。
【００２８】
本発明を適用した防護柵１は、平坦な場所に設けられるのみならず、段差や勾配等のある場所にも用いられる。本発明を適用した防護柵１は、積雪荷重が作用するような降雪地帯に設置されるものであってもよい。
【００２９】
防護柵１は、例えば、鉄、アルミニウム等の金属から構成され、適宜塗装等の表面処理が施される。
【００３０】
防護柵１は、図１に示すように、地面に所定の間隔を空けて設けられた複数の支柱１０と、各支柱１０間に設けられたパネル２０と、支柱１０とパネル２０とをそれぞれボルト接合するためのブラケット３０とを備えている。
【００３１】
図２及び図３は、支柱１０を示す斜視図である。支柱１０は、その上端部近傍及び下端部近傍において、ボルト接続するための貫通孔１１が２つずつ互いに対向するようにして形成される。
【００３２】
支柱１０は、断面円形状の筒状体が好適に用いられるが、断面矩形状や断面楕円形状の筒状体等が用いられてもよい。支柱１０は、その上端には支柱キャップ１２を有する。この支柱キャップ１２が設けられることにより、支柱１０を構成する筒状体の内部に雨水が浸入するのを防止することが可能となる。
【００３３】
支柱１０は、主として、その下端部が地面に埋設され、下端部から略鉛直方向の上方に向けて延長されている。支柱１０は、その下端部の周囲がコンクリートにより根固めさせて固定されてもよい。
【００３４】
支柱１０は、図３に示すように、その下端に板状のベースプレート１６が設けられてもよい。ベースプレート１６は、例えば、矩形状に形成されるが、如何なる形状で形成されてもよい。ベースプレート１６は、アンカー７１を挿入可能な挿入孔１７を複数有する。ベースプレート１６は、コンクリート等から構成される所定の硬さを持った地面に設けられたアンカー７１を挿入孔１７に挿入させ、このアンカー７１の上端にワッシャ７２が介装され、ナット７３を螺着することによって、固定される。アンカー７１は、例えば、機械式アンカーが用いられるが、ケミカルアンカー等が用いられてもよい。
【００３５】
図４は、パネル２０を示す正面図であり、図５は、その斜視図であり、図６は、その一部を分解した斜視図である。パネル２０は、上下一対の横桟部材２１と、上下一対の横桟部材２１を連結する複数の縦桟部材２２とを有する。パネル２０は、正面から見た場合、矩形状に形成される。
【００３６】
横桟部材２１は、図５に示すように、互いに間隔を空けて対向させて設けられる一対の支持部材２４と、一対の支持部材２４を覆うカバー部材２５とを有する。
【００３７】
支持部材２４は、鉄、アルミニウム等の金属で構成されるＬ型アングル鋼等が用いられる。支持部材２４は、一対のＬ型アングル鋼のフランジ面２４−１同士を互いに重ね合わせることにより構成される。支持部材２４は、この重ね合わせたフランジ面２４−１においてボルト接続するためのボルト挿入孔２４ｂが形成されている。また、支持部材２４は、この重ね合わせたフランジ面２４−１において、リベット接続するためのリベット挿入孔２４ｒが複数に亘り設けられている。支持部材２４は、重ね合わせたフランジ面２４−１間に僅かな間隔を空けることによって形成されるスリット２４ｓを有する。
【００３８】
カバー部材２５は、一枚の金属板を筒状に折り曲げることにより形成される。カバー部材２５を構成する金属板の両端は、図５に示すように互いに重ね合わせるようにして筒状体の内側に向けて突出するように延長された一対の立上部２６を形成する。この立上部２６の突出端２６ａには、上述した支持部材２４が当接される。ちなみに、カバー部材２５は、一対の立上部２６の間において、長手方向に沿って、一定幅のスリット２５ｓが形成される。
【００３９】
カバー部材２５における互いに対向する外側面には、ボルト接続をするためのボルト挿入孔２５ｂが形成される。このボルト挿入孔２５ｂは、カバー部材２５の外側面を貫通するように互いに対向して形成される。上下のカバー部材２５は、互いのスリット２５ｓが上下方向に向けて互いに対向するようにして設けられる。
【００４０】
縦桟部材２２は、断面円筒状又は断面多角形状に形成され、その上端部２２−１、下端部２２−２が押し潰されて板状に形成される。縦桟部材２２の上端部２２−１、下端部２２−２は、それぞれカバー部材２５のスリット２５ｓ及び支持部材２４のスリット２４ｓに嵌め込まれ、更にはフランジ面２４−１間に挟持された状態で保持される。
【００４１】
縦桟部材２２は、図６に示すように、その上端部２２−１、下端部２２−２にそれぞれフランジ面２４−１のリベット挿入孔２４ｒと対向させて設けられるリベット挿入孔２２ｒを有する。縦桟部材２２にリベット接合をする際には、リベット挿入孔２４ｒとリベット挿入孔２２ｒの位置が互いに整合するように縦桟部材２２の位置合わせを行う。そして、このリベット挿入孔２４ｒとリベット挿入孔２２ｒにリベット２７が挿入されることで固定される。その結果、このリベット２７を回動中心とし、縦桟部材２２と支持部材２４間を回動自在に構成することが可能となる。
【００４２】
図７は、本発明を適用した防護柵１における支柱１０近傍の拡大斜視図である。ブラケット３０は、支柱１０に挟持可能な一対の面板で構成される支柱取付部３１と、一対の支柱取付部３１に連続して設けられ、横桟部材２１が挿入可能な横桟連結部３２とを備える。
【００４３】
図８及び図９はブラケット３０の斜視図である。図１０は、図９のＡ−Ａ断面図であり、図１１は、図９のＢ−Ｂ断面図である。
【００４４】
ブラケット３０は、一枚の板状の鉄やアルミニウム等の金属を曲げ加工することによって製作される。ブラケット３０は、その板厚が１〜５ｍｍで構成されるが、これに限定されることはない。ブラケット３０は、その板厚が好ましくは３．２ｍｍ〜４．５ｍｍで構成され、人間等が力を加えることによって容易に折り曲げられることなく、弾性変形を抑制できる程度の板厚が望ましい。
【００４５】
支柱取付部３１は、図８及び図９に示すように、横桟部材２１の挿入方向Ｍに対して直交する方向へ向けて延長された開口スリット３１ｓを有する。開口スリット３１ｓは、図７に示すように、支柱１０に取り付けられるボルト１３に向けてスライドして嵌め入れることができるようなサイズ、形状で形成される。
【００４６】
支柱取付部３１は、図８及び図９に示すように、横桟連結部３２に向かうにつれて、互いの間隔が縮小するように形成される。すなわち、支柱取付部３１は、上下方向から見た場合、互いに平行に形成される一対の面板が、途中で屈曲し、徐々に近づくようにいわゆるハ字形状となって形成される。支柱取付部３１は、かかる形態に限定されるものではなく、互いに平行な面板を保った状態で横桟連結部３２に連結されてもよい。
【００４７】
この横桟連結部３２の断面形状は、略断面矩形状、略断面円形状等で形成されてもよいが、以下の例では、略断面矩形状で構成する場合を例に取り説明をする。
【００４８】
横桟連結部３２は、図７に示すように、その内側に横桟部材２１が挿入可能に、その内径の大きさが横桟部材２１の外径よりも大きくなるように形成される。
【００４９】
横桟連結部３２は、図８に示すように、その２つの側面にそれぞれ形成された側板１３２と、側板１３２の下端に内側方向に向けて延長される受け部３５を有する。横桟連結部３２は、更に２つの側板１３２の上端にそれぞれ連続して設けられる上面部３６を有する。
【００５０】
受け部３５は、挿入方向Ｍに向けて延長されたスリット３５ｓが形成されている。即ち、図１０に示すように、２つの側板１３２の下端からそれぞれ内側に折り曲げられた受け部３５の内側端部３５１は互いに離間されて構成され、その内側端部３５１間にスリット３５ｓが形成されていることとなる。ブラケット３０は、スリット３５ｓが形成されることによって、一枚の板状の鋼材を曲げ加工することによって製作することができ、製作効率を向上させることが可能となる。
【００５１】
スリット３５ｓは、図８に示すように、内側端部３５１の間隔がほぼ一定幅で形成されることが望ましい。スリット３５ｓは、横桟連結部３２の延長方向とほぼ平行となるように延びて形成される。スリット３５ｓの内側端部３５１の間隔は、縦桟部材２２の上端部２２−１、下端部２２−２の厚みよりも広く形成される。なお、このスリット３５ｓの構成は省略されていてもよく、かかる場合には、この横桟連結部３２は、筒状に構成されることとなる。
【００５２】
側板１３２には、図１１に示すように、ボルト挿入孔３２ｂが、貫通するように設けられている。このボルト挿入孔３２ｂは、長孔形状で形成されるが、これに限定されるものではない。ボルト挿入孔３２ｂは、図７に示すように、横桟部材２１のボルト挿入孔２５ｂに位置合わせされる。その上で、ボルト４１が挿入され、そのボルト４１の先端にはワッシャ４２が介装され、ナット４３により螺着されることでボルト接続される。
【００５３】
図１０に示すように、受け部３５を構成する面板は、側板１３２に対してほぼ垂直となるように構成されている。またこの側板１３２から受け部３５に至るまで角面状又は湾曲形状となるように折り曲げられていてもよい。
【００５４】
上面部３６は、図１０に示すように、側板１３２に対してほぼ垂直となるように構成されている。またこの側板１３２から上面部３６に至るまで角面状又は湾曲形状となるように折り曲げられていてもよい。
【００５５】
上面部３６は、図７に示すように、上下方向から見た場合、支柱取付部３１に最も近接する側の端部３６ａの形状が湾曲形状で形成される。上面部３６における端部３６ａは、その湾曲形状の曲率が支柱１０の曲率と略同一の円弧状に形成されることが望ましい。なお、上面部３６の端部３６ａは、湾曲形状に形成される場合に限定されるものではなく、上下方向から見た場合、挿入方向Ｍに直交する方向に向けて直線状に形成されてもよい。
【００５６】
図１２は、本発明を適用した防護柵１を上方から見た状態を示す断面図である。図１３は、本発明を適用した防護柵１の側面図である。
【００５７】
２つのブラケット３０は、図１２に示すように、一対の支柱取付部３１の間隔が互いに同一であるため、互いの位置をずらすことにより、支柱１０に取り付けられる。なお、図示はしないが、本発明に係る一のブラケットは、その一対の支柱取付部が、支柱を挟んで反対側に取り付けられる他のブラケットの一対の支柱取付部に挟まれるようにして支柱に取り付けられても良い。
【００５８】
受け部３５は、図１２に示すように、上下方向から見た場合、支柱取付部３１に最も近接する側の端部３５ａの形状が湾曲形状で形成される。受け部３５の端部３５ａは、その湾曲形状の曲率が支柱１０の曲率と略同一の円弧状に形成されることが望ましい。なお、受け部３５の端部３５ａは、上下方向から見た場合、挿入方向Ｍに直交する方向に向けて直線状に形成されてもよい。
【００５９】
本発明を適用したブラケット３０は、図１２に示すように、支柱１０に取り付けられる場合において、平面視で横桟連結部３２から外側に向けて拡がり支柱取付部３１に到達することとなる。これにより、支柱１０の外周、支柱取付部３１の内周、端部３５ａにより囲まれる広範な空間８０が形成される。この空間８０が形成されることにより、ブラケット３０は、図１３に示すように、ボルト１３を中心として水平方向に対して上方又は下方に向けて自在に傾斜させることが可能となる。
【００６０】
また、ブラケット３０は、受け部３５の端部３５ａ又は上面部３６の端部３６ａが支柱１０に当接するまで、ボルト１３を中心として水平方向に対して上方又は下方に向けて傾斜させることができる。
【００６１】
このとき、ブラケット３０は、受け部３５の端部３５ａ及び上面部３６の端部３６ａの曲率が、支柱１０の曲率と略同一で形成されている場合には、その端部３５ａ、３６ａの湾曲部分の中に支柱１０を深くもぐり込ませて嵌め込むことができる。その結果、ブラケット３０は、水平方向に対する傾斜角度をより大きくすることが可能となる。このようにブラケット３０の傾斜角度を大きくした場合においても、最終的にボルト１３を締め付けることによって強固に固定することが可能となる。
【００６２】
このとき、横桟部材２１は、横桟連結部３２に対して、ボルト４１とナット４３を介して互いに強固に固定されていることから、横桟部材２１と横桟連結部３２の互いの長手方向の延長方向はほぼ同一となっている。
【００６３】
従って、ブラケット３０が水平方向に対して傾斜して設けられることによって、パネル２０の横桟部材２１もその傾斜方向と同一の方向に向けて延長された形態とすることとなる。このため、本発明を適用した防護柵１は、傾斜した場所に設けることが可能となる。
【００６４】
パネル２０の縦桟部材２２は、横桟部材２１に対してリベット２７を回転中心として回動可能に取り付けられている。このため、図１３に示すように、横桟部材２１が水平方向に対して傾斜させて設けられていた場合においても、縦桟部材２２はその重力により自然に略鉛直方向に配向させることが可能となる。
【００６５】
また、本発明によれば、一つの支柱１０に取り付けられる左右一対のブラケット３０の水平方向に対する傾斜角度を互いに独立して調整することができる。このため、左右一対のブラケット３０の傾斜角度を互いに同一とすることもできるし、或いは互いに異ならせることも可能となる。
【００６６】
図１４は、本発明を適用した防護柵１が上方から荷重の作用を受けた状態を示す図である。
【００６７】
防護柵１は、パネル２０における横桟部材２１に積雪荷重等の上方からの力が作用したとき、ブラケット３０が、支柱１０のボルト１３を中心として図中矢印Ｐ方向に回転しようとする作用を受ける。
【００６８】
このとき、受け部３５の端部３５ａ及び上面部３６の端部３６ａがなるべく支柱１０に近接するように固定されることにより、支柱１０のボルト１３を中心としてわずかに回転した場合、受け部３５が支柱１０に当接される。このため、ブラケット３０の受け部３５が支柱１０から反力を得ることができ、回転に対する作用に耐えることが可能となる。
【００６９】
このとき、ブラケット３０は、所定の板厚を有しているため、受け部３５が容易に弾性変形することはなく、その荷重に耐え得る性能をより効果的に発揮することが可能となる。
【００７０】
次に、本発明を適用した防護柵１の組立方法について説明する。
【００７１】
本発明を適用した防護柵１の組立方法は、上段と下段の横桟部材２１の長手方向の両端にブラケット３０を挿入する挿入工程と、挿入工程において挿入した上段のブラケット３０を上段の横桟部材２１に取り付ける上段連結工程と、上段連結工程において横桟部材２１を取り付けた上段のブラケット３０を支柱１０に取り付ける上段支柱取付工程と、下段のブラケット３０をパネル２０と支柱１０とに取り付ける下段連結工程とを有する。
【００７２】
図１５は、本発明を適用した防護柵１の組立方法の挿入工程及び上段連結工程を示す斜視図である。
【００７３】
先ず挿入工程において、横桟部材２１のスリット２５ｓとブラケット３０のスリット３５ｓとが互いに近接して同一方向に開口するようにして横桟部材２１にブラケット３０の横桟連結部３２を挿入する。
【００７４】
すなわち、挿入工程では、上段のブラケット３０の支柱取付部３１の開口スリット３１ｓの開口方向を下向きにした状態で、上段の横桟部材２１に挿入する。また、挿入工程では、下段のブラケット３０の支柱取付部３１の開口スリット３１ｓの開口方向を上向きにした状態で、下段の横桟部材２１に挿入する。
【００７５】
挿入工程では、横桟連結部３２の内径の大きさが横桟部材２１の外径よりも大きくなって形成されるため、横桟部材２１をその内部へ容易に挿入することが可能となる。
【００７６】
挿入工程では、スリット３５ｓの間隔が縦桟部材２２の上端部２２−１、下端部２２−２の厚みよりも大きく形成されることで、ブラケット３０が縦桟部材２２に衝突することなく、横桟部材２１をスライドさせることが可能となる。即ち、スリット３５ｓ間に縦桟部材２２を通過させながらスライドさせることが可能となる。
【００７７】
挿入工程において、上段のブラケット３０を上段の横桟部材２１に挿入した後に手を放した場合、上面部３６が横桟部材２１上に支持されることで、下方への脱落を防止させ、ブラケット３０を横桟部材２１に挿通させた状態を維持することが可能となる。
【００７８】
また、挿入工程において、下段のブラケット３０を下段の横桟部材２１に挿入した後に手を放した場合、受け部３５が横桟部材２１上に支持されることによって、下方への脱落を防止させ、ブラケット３０を横桟部材２１に挿通させた状態を維持することが可能となる。
【００７９】
従って、挿入工程において、上段及び下段のブラケット３０を横桟部材２１に挿通させた状態を維持でき、それらを横桟部材２１に仮置きした状態でパネル２０の運搬作業を行うことが可能となる。
【００８０】
次に上段連結工程に移行し、挿入工程で挿入した上段のブラケット３０のボルト挿入孔３２ｂとカバー部材２５のボルト挿入孔２５ｂとの位置を合わせ、ボルト４１を貫通させ、その先端にワッシャ４２を介装させ、ナット４３を螺着することによって、横桟部材２１とブラケット３０とを互いに固定する。
【００８１】
図１６は、上段支柱取付工程を示す正面図であり、（ａ）は、支柱１０への仮置き前の状態を示した図であり、（ｂ）は、その仮置き後の状態を示した図である。
【００８２】
上段支柱取付工程において、地面から略鉛直方向に向けて設けられた支柱１０の貫通孔１１にボルト１３を貫通させ、その先端にワッシャ１４を介装させ、ナット１５を螺着する。このとき、このナット１５を緩めておくことにより、支柱１０とボルト１３及びワッシャ１４との間隔を離間させることが望ましい。
【００８３】
上段支柱取付工程では、上方から、横桟部材２１を取り付けたブラケット３０の開口スリット３１ｓを支柱１０に設けられるボルト１３に向けて図１６（ａ）の図中矢印Ｃ方向へスライドさせ嵌め入れることで、ブラケット３０をボルト１３に仮置きする。上段のナット１５は、全ての工程を終えてから締め付けることによって、支柱１０とブラケット３０を固定するが、上段支柱取付工程において締め付け固定させてもよい。
【００８４】
すなわち、上段支柱取付工程では、一方の支柱１０の上段のボルト１３に一方の上段のブラケット３０を仮置きした後に、他方の支柱１０の上段のボルト１３に他方の上段のブラケット３０を設置することが可能となる。
【００８５】
従って、上段支柱取付工程では、作業員が二人がかりでパネル２０を持ち上げて、２つの支柱１０の間に同時に設置する作業をする必要がなくなり、片側ずつ施工作業をすることができるため、作業員一人で取り付け作業を行うことができ、施工性を向上させることが可能となる。
【００８６】
下段連結工程では、図１７に示すように、下段の横桟部材２１に挿通された下段のブラケット３０を図中矢印Ｄ方向に向けて支柱１０へスライドさせる。
【００８７】
また下段連結工程では、図１８に示すように、ブラケット３０の開口スリット３１ｓと支柱１０の下段の貫通孔１１に位置合わせし、ボルト１３を挿入し、ワッシャ１４及びナット１５を取り付け、固定する。
【００８８】
下段連結工程では、下段のブラケット３０の横桟連結部３２のボルト挿入孔３２ｂと横桟部材２１のカバー部材２５のボルト挿入孔２５ｂとの位置合わせを行い、これらにボルト４１を挿入し、その先端にワッシャ４２を介装させ、ナット４３を螺着することによって、固定する。
【００８９】
本発明によれば上段のブラケット３０の開口スリット３１ｓが下方に向けて開口して設けられる。これにより、積雪荷重等の上方からの荷重が作用したとき、上段のブラケット３０の支柱取付部３１が支柱１０の上段のボルト１３によって支持される。しかも、支柱取付部３１における開口スリット３１ｓがボルト１３に嵌め込まれることでブラケット３０が容易に脱落することを防止することが可能となる。
【００９０】
更に、本発明によれば、下段のブラケット３０を横桟部材２１の下段に挿入したとき、開口スリット３１ｓの開口方向が上方に向くようにして設けられる。これにより、本発明を適用した防護柵１は、風等の下方から上方に向かうような荷重が作用したとき、下段のブラケット３０の支柱取付部３１の開口スリット３１ｓが支柱１０の下段のボルト１３によって係止される。このため、支柱１０からブラケット３０が脱離することを防止することが可能となる。
【００９１】
すなわち、本発明を適用した防護柵１の組立方法は、上段及び下段のブラケット３０の開口スリット３１ｓが互いに対向するようにして、支柱１０の上段及び下段のそれぞれのボルト１３を挟み込むように固定されるものとなる。このため、本発明を適用した防護柵１は、ブラケット３０が支柱１０及びパネル２０とより強固に固定されるものとなる。
【００９２】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００９３】
１        ：防護柵
１０      ：支柱
１１      ：貫通孔
１２      ：支柱キャップ
１３      ：ボルト
１４      ：ワッシャ
１５      ：ナット
１６      ：ベースプレート
１７      ：挿入孔
２０      ：パネル
２１      ：横桟部材
２２      ：縦桟部材
２２−１  ：上端部
２２−２  ：下端部
２２ｒ    ：リベット挿入孔
２４      ：支持部材
２４−１  ：フランジ面
２４ｂ    ：ボルト挿入孔
２４ｒ    ：リベット挿入孔
２４ｓ    ：スリット
２５      ：カバー部材
２５ｂ    ：ボルト挿入孔
２５ｓ    ：スリット
２６      ：立上部
２６ａ    ：突出端
２７      ：リベット
３０      ：ブラケット
３１      ：支柱取付部
３１ｓ    ：開口スリット
３２      ：横桟連結部
３２ｂ    ：ボルト挿入孔
３５      ：受け部
３５ａ    ：端部
３５ｓ    ：スリット
３６      ：上面部
３６ａ    ：端部
４１      ：ボルト
４２      ：ワッシャ
４３      ：ナット
７１      ：アンカー
７２      ：ワッシャ
７３      ：ナット
８０      ：空間
１３２    ：側板
３５１    ：内側端部
Ｍ        ：挿入方向
【図１】
0006605916.tif 000002
【図２】
0006605916.tif 000003
【図３】
0006605916.tif 000004
【図４】
0006605916.tif 000005
【図５】
0006605916.tif 000006
【図６】
0006605916.tif 000007
【図７】
0006605916.tif 000008
【図８】
0006605916.tif 000009
【図９】
0006605916.tif 000010
【図１０】
0006605916.tif 000011
【図１１】
0006605916.tif 000012
【図１２】
0006605916.tif 000013
【図１３】
0006605916.tif 000014
【図１４】
0006605916.tif 000015
【図１５】
0006605916.tif 000016
【図１６】
0006605916.tif 000017
【図１７】
0006605916.tif 000018
【図１８】
0006605916.tif 000019